(57)【要約】  記録媒体及び記録媒体へのアクセス制御方法及び装置が開示される。記録媒体内に予め記録された物理的アクセス制御（ＰＡＣ：physical access control）情報が読み出される。そして、ＰＡＣ情報からＰＡＣ識別情報が読み出される。ＰＡＣ識別情報が認識される場合、ＰＡＣ情報内に含まれた第１の制御情報を使用して記録媒体へのアクセスが制御される。あるいは、ＰＡＣ識別情報が認識されない場合、ＰＡＣ情報内に含まれた第２の制御情報を使用して記録媒体へのアクセスが制御される。
2008507801.tif 000002
【特許請求の範囲】
【請求項１】
記録媒体へのアクセスを制御する方法であって、
記録媒体内に予め記録された物理的アクセス制御（ＰＡＣ）情報を読み出すステップと、
前記ＰＡＣ情報からＰＡＣ識別情報を読み出すステップと、
前記ＰＡＣ識別情報が識別可能な場合に、前記ＰＡＣ情報内に含まれた第１の制御情報を使用して記録媒体へのアクセスを制御するステップと、
前記ＰＡＣ識別情報が識別不可能な場合に、前記ＰＡＣ情報内に含まれた第２の制御情報を使用して記録媒体へのアクセスを制御するステップと
を備えることを特徴とする方法。
【請求項２】
前記ＰＡＣ情報は、ＰＡＣクラスタを含むことを特徴とする請求項１に記載の方法。
【請求項３】
前記第１の制御情報は、識別可能なＰＡＣクラスタに適用可能な「ＰＡＣ  ｒｕｌｅｓ」を定義する「Ｋｎｏｗｎ  ＰＡＣ  ｒｕｌｅｓ」フィールドを含むことを特徴とする請求項２に記載の方法。
【請求項４】
前記第２の制御情報は、識別不可能なＰＡＣクラスタに適用可能な「ＰＡＣ  ｒｕｌｅｓ」を定義する「Ｕｎｋｎｏｗｎ  ＰＡＣ  ｒｕｌｅｓ」フィールドを含むことを特徴とする請求項２に記載の方法。
【請求項５】
前記第１の制御情報は、記録媒体の再初期化が許容されるか否かを定義する「Ｋｎｏｗｎ  ＰＡＣ  Ｅｎｔｉｒｅ＿Ｄｉｓｃ＿Ｆｌａｇｓ」フィールドを含むことを特徴とする請求項２に記載の方法。
【請求項６】
前記第２の制御情報は、記録媒体の再初期化が許容されるか否かを定義する「Ｕｎｋｎｏｗｎ  ＰＡＣ  Ｅｎｔｉｒｅ＿Ｄｉｓｃ＿Ｆｌａｇｓ」フィールドを含むことを特徴とする請求項２に記載の方法。
【請求項７】
記録媒体へのアクセスを制御する方法であって、
記録媒体内に予め記録された物理的アクセス制御（ＰＡＣ）情報を読み出すステップと、
前記ＰＡＣ情報からＰＡＣ識別情報を読み出すステップと、
前記ＰＡＣ識別情報が識別可能な場合に、前記ＰＡＣ情報内に含まれた第１の制御情報に基づいて記録媒体の再初期化が許容されるか否かを確認するステップと、
前記ＰＡＣ識別情報が識別不可能な場合に、前記ＰＡＣ情報内に含まれた第２の制御情報に基づいて記録媒体の再初期化が許容されるか否かを確認するステップと、
前記第１の制御情報または第２の制御情報により再初期化が許容される場合に、記録媒体の再初期化のために記録媒体へのアクセスを制御するステップと
を備えることを特徴とする方法。
【請求項８】
前記ＰＡＣ情報は、ＰＡＣクラスタを含むことを特徴とする請求項７に記載の方法。
【請求項９】
前記第１の制御情報は、前記再初期化を許容するか否かを示す「Ｋｎｏｗｎ  ＰＡＣ  Ｅｎｔｉｒｅ＿Ｄｉｓｃ＿Ｆｌａｇｓ」フィールドを含むことを特徴とする請求項８に記載の方法。
【請求項１０】
前記第２の制御情報は、前記再初期化を許容するか否かを示す「Ｕｎｋｎｏｗｎ  ＰＡＣ  Ｅｎｔｉｒｅ＿Ｄｉｓｃ＿Ｆｌａｇｓ」フィールドを含むことを特徴とする請求項８に記載の方法。
【請求項１１】
記録媒体へのアクセスを制御する方法であって、
記録媒体内に予め記録された物理的アクセス制御（ＰＡＣ）情報を読み出すステップと、
前記ＰＡＣ情報からＰＡＣ識別情報を読み出すステップと、
前記ＰＡＣ識別情報が識別可能な場合に、前記ＰＡＣ情報内に含まれた第１の制御情報に基づいて記録媒体内の少なくとも１つの特定領域へのアクセスを許容するか否かを確認するステップと、
前記ＰＡＣ識別情報が識別不可能な場合に、前記ＰＡＣ情報内に含まれた第２の制御情報に基づいて前記アクセスを許容するか否かを確認するステップと、
前記アクセスが許容される場合に、記録媒体内の少なくとも１つの特定領域にアクセスするステップと
を備えることを特徴とする方法。
【請求項１２】
前記記録媒体内の特定領域にアクセスするステップは、前記特定領域へデータを記録するステップをさらに含むことを特徴とする請求項１１に記載の方法。
【請求項１３】
前記記録媒体内の特定領域にアクセスするステップは、前記特定領域内に予め記録されたデータを再生するステップをさらに含むことを特徴とする請求項１１に記載の方法。
【請求項１４】
前記ＰＡＣ情報は、ＰＡＣクラスタを含むことを特徴とする請求項１１に記載の方法。
【請求項１５】
前記第１の制御情報は、前記アクセスを許容するか否かを示す「Ｋｎｏｗｎ  ＰＡＣ  ｒｕｌｅｓ」フィールドを含むことを特徴とする請求項１４に記載の方法。
【請求項１６】
前記第２の制御情報は、前記アクセスを許容するか否かを示す「Ｕｎｋｎｏｗｎ  ＰＡＣ  ｒｕｌｅｓ」フィールドを含むことを特徴とする請求項１４に記載の方法。
【請求項１７】
少なくとも１つの物理的アクセス制御（ＰＡＣ）クラスタが記録されるＰＡＣ領域を含むリードイン領域を含む記録媒体であって、
前記ＰＡＣクラスタの各々は、ＰＡＣ識別情報、第１の制御情報、及び第２の制御情報を含み、
前記第１の制御情報は、前記ＰＡＣ識別情報がアクセスシステムにより識別可能な場合に、記録媒体内の少なくとも１つの特定領域へのアクセスを許容するか否かを示し、前記第２の制御情報は、前記ＰＡＣ識別情報がアクセスシステムにより識別不可能な場合に、前記アクセスを許容するか否かを示すことを特徴とする記録媒体。
【請求項１８】
前記第１の制御情報は、前記アクセスを許容するか否かを示す「Ｋｎｏｗｎ  ＰＡＣ  ｒｕｌｅｓ」フィールドを含むことを特徴とする請求項１７に記載の記録媒体。
【請求項１９】
前記第２の制御情報は、前記アクセスを許容するか否かを示す「Ｕｎｋｎｏｗｎ  ＰＡＣ  ｒｕｌｅｓ」フィールドを含むことを特徴とする請求項１７に記載の記録媒体。
【請求項２０】
少なくとも１つの物理的アクセス制御（ＰＡＣ）クラスタが記録されるＰＡＣ領域を含むリードイン領域を含む記録媒体であって、
前記ＰＡＣクラスタの各々は、ＰＡＣ識別情報、第１の制御情報、及び第２の制御情報を含み、
前記第１の制御情報は、ＰＡＣ識別情報がアクセスシステムにより識別可能な場合に、記録媒体の再初期化を許容するか否かを示し、前記第２の制御情報は、ＰＡＣ識別情報がアクセスシステムにより識別不可能な場合に、前記再初期化を許容するか否かを示すことを特徴とする記録媒体。
【請求項２１】
前記第１の制御情報は、前記再初期化を許容するか否かを示す「Ｋｎｏｗｎ  ＰＡＣ  Ｅｎｔｉｒｅ＿Ｄｉｓｃ＿Ｆｌａｇｓ」フィールドを含むことを特徴とする請求項２０に記載の記録媒体。
【請求項２２】
前記第２の制御情報は、前記再初期化を許容するか否かを示す「Ｕｎｋｎｏｗｎ  ＰＡＣ  Ｅｎｔｉｒｅ＿Ｄｉｓｃ＿Ｆｌａｇｓ」フィールドを含むことを特徴とする請求項２０に記載の記録媒体。
【請求項２３】
記録媒体へのアクセスを制御する装置であって、
記録媒体内に予め記録された物理的アクセス制御（ＰＡＣ）情報を読み出し、前記ＰＡＣ情報からＰＡＣ識別情報を読み出し、前記ＰＡＣ識別情報が識別可能な場合に、前記ＰＡＣ情報内に含まれた第１の制御情報に基づいて記録媒体内の少なくとも１つの特定領域へのアクセスを許容するか否かを確認し、かつ前記ＰＡＣ識別情報が識別不可能な場合に、前記ＰＡＣ情報内に含まれた第２の制御情報に基づいて前記アクセスを許容するか否かを確認するために構成されるアクセスユニットと、
前記第１の制御情報及び第２の制御情報に基づいて少なくとも１つの特定領域へのアクセスを制御するために構成された制御部と
を備えたことを特徴とする装置。
【請求項２４】
記録媒体へのアクセスを制御する装置であって、
記録媒体内に予め記録された物理的アクセス制御（ＰＡＣ）情報を読み出し、前記ＰＡＣ情報からＰＡＣ識別情報を読み出し、前記ＰＡＣ識別情報が識別可能な場合に、前記ＰＡＣ情報内に含まれた第１の制御情報に基づいて記録媒体の再初期化を許容するか否かを確認し、前記ＰＡＣ識別情報が識別不可能な場合に、前記ＰＡＣ情報内にさらに含まれた第２の制御情報に基づいて前記再初期化を許容するか否かを確認するために構成されるアクセスユニットと、
前記第１の制御情報または第２の制御情報により再初期化が許容されると、記録媒体の再初期化のために記録媒体へのアクセスを制御するために構成される制御部と
を含むことを特徴とする装置。
【発明の詳細な説明】
【技術分野】
【０００１】
本発明は、記録媒体に関する。より詳細には、記録媒体、並びに記録媒体へのデータ記録及び／または記録媒体からの再生を制御するために記録媒体内の物理的アクセスを制御するための情報を使用し、また記録媒体の再初期化（re−initialization）を実行する、記録媒体へのアクセスを制御する方法及び装置に関する。
【背景技術】
【０００２】
光ディスクは、大容量のデータを記録するために広く使用されている。そのような光ディスクの中でも、ブルーレイディスク（Blu-ray Disc（登録商標））（本明細書では、「ＢＤ」と呼ぶ）などの新たな高密度光記録媒体が開発されており、この新たな高密度光記録媒体は高画質のビデオデータと高音質のオーディオデータを長期間記録し格納することができる。近年、既存のＤＶＤを遥かに超える容量のデータを格納することができるソリューションとしての次世代記録媒体技術と考えられているブルーレイディスクの世界標準の技術仕様は、他のデジタル装置とともに作成中である。
【０００３】
また、ブルーレイディスクの新しい機能として、記録媒体の物理的アクセスを制御するデータを記録するためのＰＡＣ（物理的アクセス制御：Physical Access Control）領域を導入することが論議中である。しかしながら、そのような機能の標準規格は整備されていない。従って、完全な光記録再生装置を作ることには困難が存在する。
【発明の開示】
【発明が解決しようとする課題】
【０００４】
したがって、本発明は、上述したような従来技術の制限および不利益による１つまたは複数の問題点を実質的に取り除く、記録媒体及び記録媒体へのアクセスを制御する方法及び装置を対象にする。
【課題を解決するための手段】
【０００５】
本発明の目的は、記録されたデータを使用することによって記録媒体の記録再生と関連する多様な制御オペレーションを実行するための、記録媒体へのアクセスを制御する方法及び装置を提供することである。
【０００６】
本発明のさらなる利点、目的、及び特徴は以下の説明において一部説明され、以下の考察において当業者に一部明らかになり、本発明の実施から把握できる。本発明の目的及び他の利点は、発明の詳細な説明及び特許請求の範囲と同様に添付図面において特に指摘された構造によって実現され、達成されることが可能である。
【０００７】
これらの目的及び他の利点を達成するため、かつ本明細書に具体的に、広く説明されているような本発明の目的に従って、記録媒体へのアクセスを制御する方法は、記録媒体内に予め記録された物理的アクセス制御（ＰＡＣ）情報を読み出すステップと、ＰＡＣ情報からＰＡＣ識別情報を読み出すステップと、ＰＡＣ識別情報が認識される場合にＰＡＣ情報内に含まれた第１の制御情報を使用して記録媒体へのアクセスを制御するステップと、ＰＡＣ識別情報が認識されない場合にＰＡＣ情報内に含まれた第２の制御情報を使用して記録媒体へのアクセスを制御するステップと、を含む。
【０００８】
本発明の他の様態において、記録媒体へのアクセスを制御する方法は、記録媒体内に予め記録された物理的アクセス制御（ＰＡＣ）情報を読み出すステップと、ＰＡＣ情報からＰＡＣ識別情報を読み出すステップと、ＰＡＣ識別情報が識別可能な場合に、ＰＡＣ情報内に含まれた第１の制御情報に基づいて記録媒体の再初期化を許容するか否かを確認するステップと、ＰＡＣ識別情報が識別不可能な場合に、ＰＡＣ情報内に含まれた第２の制御情報に基づいて記録媒体の再初期化を許容するか否かを確認するステップと、第１の制御情報または第２の制御情報により再初期化が許容される場合に、記録媒体の再初期化のために記録媒体へのアクセスを制御するステップと、を含む。
【０００９】
本発明の他の様態において、記録媒体へのアクセスを制御する方法は、記録媒体内に予め記録された物理的アクセス制御（ＰＡＣ）情報を読み出すステップと、ＰＡＣ情報からＰＡＣ識別情報を読み出すステップと、ＰＡＣ識別情報が識別可能な場合に、ＰＡＣ情報内に含まれた第１の制御情報に基づいて記録媒体内の少なくとも１つの特定領域へのアクセスを許容するか否かを確認するステップと、ＰＡＣ識別情報が識別不可能な場合に、ＰＡＣ情報内に含まれた第２の制御情報に基づいてアクセスを許容するか否かを確認するステップと、アクセスが許容される場合に、記録媒体内の少なくとも１つの特定領域にアクセスするステップと、を含む。
【００１０】
本発明の他の態様において、記録媒体は、少なくとも１つの物理的アクセス制御（ＰＡＣ）クラスタが記録されるＰＡＣ領域を含むリードイン領域を含み、各ＰＡＣクラスタは、ＰＡＣ識別情報、第１の制御情報、及び第２の制御情報を含み、第１の制御情報は、ＰＡＣ識別情報がアクセスシステムにより識別可能な場合に、記録媒体内の少なくとも１つの特定領域へのアクセスを許容するか否かを示し、第２の制御情報は、ＰＡＣ識別情報がアクセスシステムにより識別不可能な場合に、アクセスを許容するか否かを示す。
【００１１】
本発明の他の様態において、記録媒体は、少なくとも１つの物理的アクセス制御（ＰＡＣ）クラスタが記録されるＰＡＣ領域を含むリードイン領域を含み、各ＰＡＣクラスタは、ＰＡＣ識別情報、第１の制御情報、及び第２の制御情報を含み、第１の制御情報は、ＰＡＣ識別情報がアクセスシステムにより識別可能な場合に、記録媒体の再初期化を許容するか否かを示し、第２の制御情報は、ＰＡＣ識別情報がアクセスシステムにより識別不可能な場合に、記録媒体の再初期化を許容するか否かを示す。
【００１２】
本発明の他の様態において、記録媒体へのアクセスを制御する装置は、記録媒体内に予め記録された物理的アクセス制御（ＰＡＣ）情報を読み出し、ＰＡＣ情報からＰＡＣ識別情報を読み出し、ＰＡＣ識別情報が識別可能な場合に、ＰＡＣ情報内に含まれた第１の制御情報に基づいて記録媒体内の少なくとも１つの特定領域へのアクセスを許容するか否かを確認し、ＰＡＣ識別情報が識別不可能な場合に、ＰＡＣ情報内に含まれた第２の制御情報に基づいてアクセスを許容するか否かを確認するために構成されるアクセスユニットと、第１の制御情報または第２の制御情報に基づいて少なくとも１つの特定領域へのアクセスを制御するために構成される制御部と、を含む。
【００１３】
本発明のさらに他の様態において、記録媒体へのアクセスを制御する装置は、記録媒体内に予め記録された物理的アクセス制御（ＰＡＣ）情報を読み出し、ＰＡＣ情報からＰＡＣ識別情報を読み出し、ＰＡＣ識別情報が識別可能な場合に、ＰＡＣ情報内に含まれた第１の制御情報に基づいて記録媒体の再初期化を許容するか否かを確認し、ＰＡＣ識別情報が識別不可能な場合に、ＰＡＣ情報内にさらに含まれた第２の制御情報に基づいて再初期化を許容するか否かを確認するために構成されるアクセスユニットと、第１の制御情報または第２の制御情報により再初期化が許容されると、記録媒体の再初期化のために記録媒体へのアクセスを制御するために構成される制御部と、を含む。
【００１４】
前述した一般的な説明と後述する本発明の詳細な説明は、例示であり、かつ説明目的のものであり、本発明のさらなる説明を提供することを意図していることを理解すべきである。
【発明の効果】
【００１５】
本発明に係る記録媒体、並びに記録媒体へのアクセスを制御する方法及び装置を使用することによって、データを記録媒体に記録することができ、もっと効率的に記録媒体からデータを再生することができる。
【発明を実施するための最良の形態】
【００１６】
参照は、本発明の好ましい実施形態及び添付図面において説明される例について、詳細になされる。可能な限り、同一な図面参照符号は、図面全体を通して同一または類似の部分を示すために使用される。
【００１７】
また、本発明において使用される用語は、一般的に知られていて、かつ使用されている用語から選択されているが、本発明の説明において記載されている用語のいくつかは、出願人によって任意に選定されており、その用語の意味は、本明細書の記載の該当する部分において説明される。したがって、本発明は、使用されている実際の用語によってだけではなく、各用語が有する意味によって把握する必要がある。
【００１８】
この詳細な説明において、「記録媒体（recording medium）」は、記録可能なすべての媒体を示し、かつ光ディスクや磁気テープ等などの記録方法に関わらず、全ての種類の記録媒体を幅広く含む。以下、本発明の説明の便宜のために、光ディスク、より詳細にはブルーレイディスク（ＢＤ）を本明細書で提案されている記録媒体の一例として説明する。
【００１９】
また、本発明で使用した「物理的アクセス制御（ＰＡＣ）」は、記録媒体への物理的アクセスを制御する一般的な概念を示す。従って、例えば、「ＰＡＣ領域」とは、記録媒体内にＰＡＣ関連制御情報が記録された領域を示す。また、「ＰＡＣクラスタ（PAC cluster）」とは、ＰＡＣ領域内に具備された一つの記録単位を示す。これに関する詳細な説明は後述する。
【００２０】
また、本発明で使用した「再初期化（re-initialization）」とは、書換可能な光ディスクなどの記録媒体の使用中に特定の原因により記録媒体を再フォーマットする過程を示す。より詳細には、再初期化の処理は、記録媒体内の予め記録されたデータを保護するために再初期化が許容される条件下でだけ行われる必要がある。再初期化を許容する情報をＰＡＣクラスタ内に提供する好ましい方法について後述する。
【００２１】
図１は、本発明に係る記録媒体の物理的構造を説明する。図１を参照すると、記録媒体（例えば、光ディスク）は、ディスクのインナー領域（inner area）及びアウター領域（outer area）にディスクを管理する多様な情報を記録するためのリードイン領域（lead in area）及びリードアウト領域（lead out area）を含む。光ディスク（または記録媒体）はまた、リードイン領域及びリードアウト領域との間に実際にユーザが記録しようとする、データを記録するためのデータゾーン（Data zone）を含む。また、リードイン領域及びリードアウト領域内には複数の情報領域（「ＩＮＦＯ１」〜「ＩＮＦＯ４」）が含まれる。光ディスクを管理するための多様な情報がこの情報領域内に記録される。データゾーン（Data zone）は、ユーザデータ領域（User Data Area）と、スペア領域（ＩＳＡ、ＯＳＡ）と、を含む。ユーザデータ領域はユーザが実際に記録しようとするデータを記録するための領域である。スペア領域は欠陷管理のための代替領域（replacement area）として使用される。
【００２２】
リードイン領域内の「ＩＮＦＯ１」領域は、ドライブ領域、第１の欠陷管理領域（ＤＭＡ  １）、第１のコントロールデータ領域（Ｃｏｎｔｒｏｌ  Ｄａｔａ  １）及び第１のＰＡＣ領域（ＰＡＣ  １）を含む。ドライブ領域は、光ディスクにアクセスした光記録再生装置（これを「ドライブ」とも言う）に情報を記録するための領域である。第１の欠陷管理領域（ＤＭＡ  １）はディスク内に発生した欠陷を管理する。第１のコントロールデータ領域（Ｃｏｎｔｒｏｌ  Ｄａｔａ  １）は一般制御情報を含む。第１のＰＡＣ領域（ＰＡＣ  １）は、ディスクへの物理的アクセス、すなわち、光ディスク内の特定領域に対応するデータを記録または再生するか否かを制御するための領域である。「ＩＮＦＯ１」領域内の残り領域は、今後の使用のための予備領域（Ｒｅｓｅｒｖｅｄ  １、２、３）として残しておく。
【００２３】
リードイン領域内の「ＩＮＦＯ２」領域は、第２の欠陷管理領域（ＤＭＡ  ２）、第２のコントロールデータ領域（Ｃｏｎｔｒｏｌ  Ｄａｔａ  ２）、及び第２のＰＡＣ領域（ＰＡＣ  ２）を含む。第２の欠陷管理領域（ＤＭＡ  ２）は、ディスク内に発生した欠陷を管理し、第２のコントロールデータ領域（Ｃｏｎｔｒｏｌ  Ｄａｔａ  ２）は一般制御情報を含む。第２のＰＡＣ領域（ＰＡＣ  ２）は、ディスクへの物理的アクセス、すなわち、光ディスク内の特定領域に対応するデータを記録または再生するかどうかを制御するための領域である。また、「ＩＮＦＯ２」領域内の残り領域は、今後の使用のための予備領域（Ｒｅｓｅｒｖｅｄ  ５、６、７、８）として残しておく。また、「ＩＮＦＯ２」領域内に含まれる「ＤＭＡ  ２」及び「ＰＡＣ  ２」は、上記「ＩＮＦＯ１」領域内の「ＤＭＡ  １」及び「ＰＡＣ  １」にそれぞれ対応する領域であり、各々同一な情報が同一な方式で記録される領域である。また、「ＩＮＦＯ１」領域と「ＩＮＦＯ２」領域との間には最適記録パワーを算出するためのＯＰＣ（Optimum Power Calibration）領域及び今後の使用のために残しておいた予備領域（Reserved 4）を含んだもう一つの領域が含まれることが可能である。しかしながら、この領域は本発明との関連性が少ないので図面から省いた。
【００２４】
また、リードアウト領域内の「ＩＮＦＯ３」領域は、第３の欠陷管理領域（ＤＭＡ  ３）と、第３のコントロールデータ領域（Ｃｏｎｔｒｏｌ  Ｄａｔａ  ３）と、を含む。第３の欠陥管理領域（ＤＭＡ  ３）はディスク内で発生する欠陥を管理する。第３のコントロールデータ領域（Ｃｏｎｔｒｏｌ  Ｄａｔａ  ３）は一般制御情報を含む。また、リードアウト領域内の「ＩＮＦＯ４」領域は、第４の欠陷管理領域（ＤＭＡ  ４）と、第４のコントロールデータ領域（Ｃｏｎｔｒｏｌ  Ｄａｔａ  ４）と、を含む。第４の欠陥管理領域（ＤＭＡ  ４）はディスク内で発生する欠陥を管理する。第４のコントロールデータ領域（Ｃｏｎｔｒｏｌ  Ｄａｔａ  ４）は一般制御情報を含む。また、図１に示した各々の領域は、個別的に記録または再生について許容される。この許容については、図５を参照して詳しく後述する。
【００２５】
図２は、本発明に係る記録媒体の物理的アクセス制御（ＰＡＣ）領域内のＰＡＣクラスタを説明する。上述のように、リードイン領域の「ＩＮＦＯ１」領域及び「ＩＮＦＯ２」領域の一方の側（side）にはＰＡＣ領域（ＰＡＣ１、ＰＡＣ２）が具備される。ＰＡＣ領域は、複数の記録単位、例えば、ｎ個のＰＡＣクラスタ（ＰＡＣ  ｃｌｕｓｔｅｒ  １〜ＰＡＣ  ｃｌｕｓｔｅｒ  ｎ）を含む。したがって、ＰＡＣ１及びＰＡＣ２には同一な情報を記録しておくことにより、ＰＡＣ領域内の情報を一層高い信頼性を持って保護することが可能になる。より詳細には、各々のＰＡＣクラスタがディスクへの物理的アクセスを制御する情報を含む。また、ＰＡＣクラスタ内に記録される制御情報については、以下、図３〜図５を参照して詳しく後述する。
【００２６】
図３は、各々のＰＡＣクラスタ内に記録される情報を説明する。図３を参照すると、記録単位として１つのクラスタは３２個のデータフレームで構成される。それぞれのデータフレームは２０４８バイトのデータを含む。より詳細には、ＰＡＣクラスタ内の１番目のデータフレーム（Ｄａｔａ  Ｆｒａｍｅ  ０）中の一部にはＰＡＣヘッダ情報として一般情報が記録される。また、対応するＰＡＣクラスタの「ＰＡＣ固有情報（PAC specific information）」は、残りの３１個のデータフレーム（Ｄａｔａ  Ｆｒａｍｅ  １〜Ｄａｔａ  Ｆｒａｍｅ  ３１）及びヘッダ情報領域を除外した１番目のデータフレーム（Ｄａｔａ  Ｆｒａｍｅ  ０）領域内に記録される。明らかに、ある実施形態においては、図３に示したように、最後のデータフレーム（Ｄａｔａ  Ｆｒａｍｅ  ３１）は予備領域として残しておくことも可能である。
【００２７】
ＰＡＣクラスタ内の１番目のデータフレーム（Ｄａｔａ  Ｆｒａｍｅ  ０）内の一部に記録されるＰＡＣヘッダ情報は、「ＰＡＣ＿ＩＤ」フィールド、「ＰＡＣ  Ｆｏｒｍａｔ」フィールド及び「Ｕｐｄａｔｅ  ｃｏｕｎｔ」フィールドを含む。「ＰＡＣ＿ＩＤ」フィールドは対応するＰＡＣクラスタの種類を表示する識別情報である。「ＰＡＣ  Ｆｏｒｍａｔ」フィールドはＰＡＣクラスタのフォーマットバージョンを記録する。「Ｕｐｄａｔｅ  ｃｏｕｎｔ」フィールドはアップデート回数を記録する。また、「ＰＡＣ＿ＩＤ」フィールドを識別することができる光記録再生装置を使用する場合において、ディスクへの物理的アクセスを制御するための第１の制御情報として、「Ｋｎｏｗｎ  ＰＡＣ  Ｒｕｌｅｓ」フィールド及び「Ｋｎｏｗｎ  ＰＡＣ  Ｅｎｔｉｒｅ＿Ｄｉｓｃ＿Ｆｌａｇｓ」フィールドがＰＡＣヘッダ情報内に記録される。また、「ＰＡＣ＿ＩＤ」フィールドを識別できない光記録再生装置を使用する場合において、ディスクへの物理的アクセスを制御するための第２の制御情報として、「Ｕｎｋｎｏｗｎ  ＰＡＣ  Ｒｕｌｅｓ」フィールド及び「Ｕｎｋｎｏｗｎ  ＰＡＣ  Ｅｎｔｉｒｅ＿Ｄｉｓｃ＿Ｆｌａｇｓ」フィールドがＰＡＣヘッダ情報内に記録される。また、「Ｕｎｋｎｏｗｎ  ＰＡＣ  Ｒｕｌｅｓ」フィールドによって制御されるディスク内の特定領域を指定する「セグメント」情報が記録され、ディスク内には最大３２個のセグメントを含むことができる。また、「Ｎｕｍｂｅｒ  ｏｆ  ｓｅｇｍｅｎｔｓ」フィールドと、「Ｓｅｇｍｅｎｔ＿ｉ（ｉ＝０〜３１）」フィールドがＰＡＣヘッダ情報内に記録される。本明細書において、「Ｎｕｍｂｅｒ  ｏｆ  ｓｅｇｍｅｎｔｓ」フィールドは現在のＰＡＣクラスタに存在するセグメントの数を示し、「Ｓｅｇｍｅｎｔ＿ｉ（ｉ＝０〜３１）」フィールドはディスク内の各セグメントの位置情報を含む。「ＰＡＣ＿ＩＤ」フィールドを識別することができる光記録再生装置が光ディスクを記録し再生する場合において参照できる対応するＰＡＣクラスタ固有の一般情報及び制御情報が、複数の「ＰＡＣ  ｓｐｅｃｉｆｉｃ  ｉｎｆｏｒｍａｔｉｏｎ」フィールド内に記録される。
【００２８】
各々のＰＡＣクラスタは、図３に示すようなデータ構造を持つように形成される。しかしながら、上述の特定フィールドが使用されない場合には対応するクラスタ内に存在するすべてのバイトを「００ｈ」で設定することができ、そのフィールドが現在使用されていないことを示すことができる。より詳細には、例えば、セグメントが２個である場合には、「Ｎｕｍｂｅｒ  ｏｆ  ｓｅｇｍｅｎｔｓ」フィールドは「２」と記録され、「Ｓｅｇｅｍｎｔ＿０」フィールド及び「Ｓｅｇｅｍｎｔ＿１」フィールドには対応するセグメントのディスク内のスタートアドレス及びエンドアドレス情報を各々記録する。残りの「Ｓｅｇｅｍｎｔ＿２」〜「Ｓｅｇｅｍｎｔ＿３１」フィールド内に存在するすべてのバイトは「００ｈ」で設定する。同様に、複数の「ＰＡＣ  ｓｐｅｃｉｆｉｃ  ｉｎｆｏｒｍａｔｉｏｎ」フィールド中の使用されないフィールド内に存在するすべてのバイトも「００ｈ」で設定することが可能である。
【００２９】
本発明において、前述した「ＰＡＣ＿ＩＤ」情報は重要な意味を有する。より詳細には、本発明は、光記録再生装置により「ＰＡＣ＿ＩＤ」情報が識別されるか否かによって、「ＰＡＣ＿ＩＤ」情報が識別可能な場合には、第１の制御情報として「Ｋｎｏｗｎ  ＰＡＣ  Ｒｕｌｅｓ」フィールド及び「Ｋｎｏｗｎ  ＰＡＣ  Ｅｎｔｉｒｅ＿Ｄｉｓｃ＿Ｆｌａｇｓ」フィールドに記録された制御情報が使用される。一方、「ＰＡＣ＿ＩＤ」情報が識別不可能な場合には、第２の制御情報として「Ｕｎｋｎｏｗｎ  ＰＡＣ  Ｒｕｌｅｓ」フィールド及び「Ｕｎｋｎｏｗｎ  ＰＡＣ  Ｅｎｔｉｒｅ＿Ｄｉｓｃ＿Ｆｌａｇｓ」フィールドに記録された制御情報が使用される。本発明では、ＰＡＣクラスタは３つの異なる種類、すなわち「ｕｎｕｓｅｄ  ＰＡＣ  ｃｌｕｓｔｅｒ」、「ｐｒｉｍａｒｙ  ＰＡＣ  ｃｌｕｓｔｅｒ」及び「ｎｏｎ−ｐｒｉｍａｒｙ  ＰＡＣ  ｃｌｕｓｔｅｒ」に区分される。「ｕｎｕｓｅｄ  ＰＡＣ  ｃｌｕｓｔｅｒ」は使用されないＰＡＣクラスタを意味する。また、すべてのディスクは必ずＰＡＣ領域内に少なくとも１つの「ｐｒｉｍａｒｙ  ＰＡＣ  ｃｌｕｓｔｅｒ」を強制的に含む。「ｎｏｎ−ｐｒｉｍａｒｙ  ＰＡＣ  ｃｌｕｓｔｅｒ」は、「ｕｎｕｓｅｄ  ＰＡＣ  ｃｌｕｓｔｅｒ」または「ｐｒｉｍａｒｙ  ＰＡＣ  ｃｌｕｓｔｅｒ」として定義されないＰＡＣクラスタを説明するために使用される。
【００３０】
したがって、３バイトのＰＡＣ＿ＩＤが「ＰＡＣ＿ＩＤ＝００  ００  ００ｈ」であれば、対応するＰＡＣクラスタは「ｕｎｕｓｅｄ  ＰＡＣ  ｃｌｕｓｔｅｒ」として定義される。しかしながら、以前に一度も使用されなかった場合にはＰＡＣクラスタは「ｏｒｉｇｉｎａｌ  ｕｎｕｓｅｄ  ＰＡＣ  ｃｌｕｓｔｅｒ」として定義される。また、３バイトのＰＡＣ＿ＩＤが「ＰＡＣ＿ＩＤ＝ＦＦ  ＦＦ  ＦＦｈ」であれば、対応するＰＡＣクラスタは「ｕｎｕｓｅｄ  ＰＡＣ  ｃｌｕｓｔｅｒ」として定義される。しかしながら、以前に一度は使用されたが現在使用されていないので、ＰＡＣクラスタは「ｎｏｗ  ｕｎｕｓｅｄ  ＰＡＣ  ｃｌｕｓｔｅｒ」として定義される。
【００３１】
また、３バイトのＰＡＣ＿ＩＤが「ＰＡＣ＿ＩＤ＝５０  ５２  ４Ｄｈ」などの規格値として予め決定された特定値を有する場合には、ＰＡＣクラスタは「ｐｒｉｍａｒｙ  ＰＡＣ  ｃｌｕｓｔｅｒ」として定義される。３バイトのＰＡＣ＿ＩＤが上述の特定の規格値とは異なる他の値を有すれば、ＰＡＣクラスタは「ｎｏｎ−ｐｒｉｍａｒｙ  ＰＡＣ  ｃｌｕｓｔｅｒ」として定義される。
【００３２】
したがって、「ｎｏｎ−ｐｒｉｍａｒｙ  ＰＡＣ  ｃｌｕｓｔｅｒ」は多様な「ＰＡＣ＿ＩＤ」値で定義することが可能である。しかしながら、「ＰＡＣ＿ＩＤ」値は規格値として決定される必要がある。より詳細には、「ｎｏｎ−ｐｒｉｍａｒｙ  ＰＡＣ  ｃｌｕｓｔｅｒ」を規格化する時点で、対応する「ＰＡＣ＿ＩＤ」を規格値として決定する。したがって、規格化以前に製作された光記録再生装置は、「ｎｏｎ−ｐｒｉｍａｒｙ  ＰＡＣ  ｃｌｕｓｔｅｒ」の「ＰＡＣ＿ＩＤ」を識別できなくなる。光記録再生装置が特定の「ｎｏｎ−ｐｒｉｍａｒｙ  ＰＡＣ  ｃｌｕｓｔｅｒ」の「ＰＡＣ＿ＩＤ」を識別できない場合には、データを記録し、再生するディスクへのアクセスは、対応するＰＡＣクラスタ内に第２の制御情報として記録される「Ｕｎｋｎｏｗｎ  ＰＡＣ  Ｒｕｌｅｓ」フィールド及び「Ｕｎｋｎｏｗｎ  ＰＡＣ  Ｅｎｔｉｒｅ＿Ｄｉｓｃ＿Ｆｌａｇｓ」フィールドに従って制御される。
【００３３】
図４は、ＰＡＣクラスタ内に記録される制御情報の中の「Ｋｎｏｗｎ  ＰＡＣ  Ｅｎｔｉｒｅ＿Ｄｉｓｃ＿Ｆｌａｇｓ」フィールド及び「Ｕｎｋｎｏｗｎ  ＰＡＣ  Ｅｎｔｉｒｅ＿Ｄｉｓｃ＿Ｆｌａｇｓ」フィールド内の制御情報を説明する。図４を参照すると、光記録再生装置が「ＰＡＣ＿ＩＤ」を第１の制御情報として識別可能な場合に、「Ｋｎｏｗｎ  ＰＡＣ  Ｅｎｔｉｒｅ＿Ｄｉｓｃ＿Ｆｌａｇｓ」フィールドはディスク全体に適用される制御情報を提供する。例えば、対応するフィールドを構成する１バイトの中で特定ビット（ｂ０）が「０」である場合には、ディスク再初期化が許容される。また、特定ビット（ｂ０）が「１」である場合には、ディスク再初期化が許容されない。また、残りのビット（ｂ１〜ｂ７）もディスク全体に適用される制御情報として使用され、他の機能を実行することが可能である。ただ、図４では、ビット（ｂ１〜ｂ７）は今後の使用のために残されており、これら全部のビットを「０」で設定した。第２の制御情報として「Ｕｎｋｎｏｗｎ  ＰＡＣ  Ｅｎｔｉｒｅ＿Ｄｉｓｃ＿Ｆｌａｇｓ」フィールドは第１の制御情報である「Ｋｎｏｗｎ  ＰＡＣ  Ｅｎｔｉｒｅ＿Ｄｉｓｃ＿Ｆｌａｇｓ」フィールドと同一に定義される。
【００３４】
したがって、例えば、「Ｋｎｏｗｎ  ＰＡＣ  Ｅｎｔｉｒｅ＿Ｄｉｓｃ＿Ｆｌａｇｓ」フィールドを「００００  ００００」と設定することで、「ＰＡＣ＿ＩＤ」を識別可能な場合にはディスクへの再初期化が許容される。また、同一なＰＡＣクラスタ内で「Ｕｎｋｎｏｗｎ  ＰＡＣ  Ｅｎｔｉｒｅ＿Ｄｉｓｃ＿Ｆｌａｇｓ」フィールドを「００００  ０００１」と設定することで、「ＰＡＣ＿ＩＤ」を識別することができない場合にはディスクへの再初期化が許容されない。
【００３５】
図５は、本発明に係る記録媒体内のＰＡＣクラスタ情報の中の「Ｕｎｋｎｏｗｎ  ＰＡＣ  Ｒｕｌｅｓ」及び「Ｋｎｏｗｎ  ＰＡＣ  Ｒｕｌｅｓ」を説明する。第１の制御情報として、「Ｋｎｏｗｎ  ＰＡＣ  Ｒｕｌｅｓ」フィールドは光記録再生装置が「ＰＡＣ＿ＩＤ」を識別可能な場合に、ディスクの特定領域に対するデータの記録（または書き込み）または再生（または読み出し）を許容するか否かについての制御情報を提供する。また、第２の制御情報として、「Ｕｎｋｎｏｗｎ  ＰＡＣ  Ｒｕｌｅｓ」フィールドは光記録再生装置が「ＰＡＣ＿ＩＤ」を識別することができない場合に、ディスクの特定領域に対するデータの記録（または書き込み）または再生（または読み出し）を許容するか否かについての制御情報を提供する。
【００３６】
それぞれ４バイト（ｂ０〜ｂ３１）で構成される「Ｋｎｏｗｎ  ＰＡＣ  Ｒｕｌｅｓ」フィールド及び「Ｕｎｋｎｏｗｎ  ＰＡＣ  Ｒｕｌｅｓ」フィールドは同一な構造を有する。また、予め定義された方式により特定ビットは特定領域において記録（または書き込み）または再生（または読み出し）が許容されるか否かを示すフラグ（flag）情報になる。より詳細には、例えば、「ｂ０ビット」及び「ｂ１ビット」は各々のＰＡＣクラスタ内での再生または記録を許容するか否かを示す制御情報として使用される。また、「ｂ２ビット」及び「ｂ３ビット」は各々のユーザデータ領域内での再生または記録を許容するか否かを示す制御情報として使用される。従って、特定のセグメント領域が指定された場合には、「Ｕｎｋｎｏｗｎ  ＰＡＣ  Ｒｕｌｅｓ」フィールド内の「ｂ２ビット」及び「ｂ３ビット」は各々のセグメント内で再生または記録を許容するか否かを示す制御情報として使用される。
【００３７】
また、図５に示したように、他のビット（ｂ４〜ｂ２３）は、図１に示した光ディスク内で記録または再生の制御を必要とする各々の領域内での記録または再生を許容するか否かを示す制御情報としても使用することができる。
【００３８】
また、制御情報として「Ｋｎｏｗｎ  ＰＡＣ  Ｒｕｌｅｓ」フィールド及び「Ｕｎｋｎｏｗｎ  ＰＡＣ  Ｒｕｌｅｓ」フィールドから提供されるビットの中で、「０ｂ」を対応する領域へのデータの記録または再生を許容するために定義することができる。また、「１ｂ」を対応する領域へのデータの記録または再生を許容しないために定義することができる。しかしながら、「Ｋｎｏｗｎ  ＰＡＣ  Ｒｕｌｅｓ」フィールドでは特定のビットが「１ｂ」の場合であっても、データの記録または再生を無条件に許容しないために特定のビットを定義しない。代わりに、対応する領域へのデータの記録または再生を条件付きで許容するために定義することができる。例えば、パスワードを入力することは、データの記録または再生を許容するために必要となる場合がある。一方、「Ｕｎｋｎｏｗｎ  ＰＡＣ  Ｒｕｌｅｓ」フィールドでは、特定のビットが「１ｂ」の場合であっても、例外なくデータの記録または再生を無条件に許容しないために特定のビットを定義することができる。
【００３９】
したがって、本発明の他の実施形態として、「Ｋｎｏｗｎ  ＰＡＣ  Ｒｕｌｅｓ」フィールドを定義しないことも可能である。この場合、「Ｋｎｏｗｎ  ＰＡＣ  Ｒｕｌｅｓ」フィールドにより制御される代わりに、光記録再生装置の記録または再生は、特定の「ＰＡＣ＿ＩＤ」についての制御方式をファームウエア（firmware）上で予めプログラムすることによって制御される。これについては、図８を参照して詳しく後述する。
【００４０】
図６乃至図８は、本発明に係る光記録再生装置、並びに記録媒体内のデータの記録及び再生を制御する方法を説明する。
【００４１】
図６は、本発明に係る光記録再生装置を説明し、光記録再生装置は、記録再生部２０と、制御部１２と、を含む。記録再生部２０は、光ディスク内に記録されたデータ及び管理情報を読み出すためのピックアップ部１１と、ピックアップ部１１の動作を制御するサーボ１４と、ピックアップ部１１から受信された再生信号を所望の信号値に復元するか、または記録される信号を光ディスクに記録可能な信号に変調して変調された信号をピックアップ部１１に送信する信号処理部１３と、光ディスクから読み出された管理情報等を一時的に格納するメモリ１５と、前記動作を制御するマイクロコンピュータ１６と、を含む。記録再生部２０を含むだけの装置を「ドライブ」と言う。
【００４２】
また、制御部１２は光記録再生装置の全体動作を制御する。制御部１２は、ユーザインターフェースを介してユーザ命令を受信し、受信したユーザ命令をマイクロコンピュータ１６に送信して、ユーザ命令に従って装置の動作を制御する。より詳細には、制御部１２は記録再生部２０から伝送されたディスク管理情報を使用して記録（または書き込み）または再生（または読み出し）命令を生成する。その後、制御部１２はこの命令を記録再生部２０にさらに送信する。
【００４３】
また、ＡＶデコーダ１７は制御部１２の制御に従って出力データを最終的にデコードする。また、ＡＶエンコーダ１８は光ディスクに信号を記録する機能を実行するために、制御部１２の制御によって入力信号を特定のフォーマットの信号（例えば、ＭＰＥＧ−２トランスポートストリーム）に変換して信号処理部１３に変換された信号を提供する。
【００４４】
また、ＰＡＣ領域を使用したデータの記録及び再生を制御する方法において、記録再生部２０及び制御部１２の動作を詳しく説明すれば、次のようである。記録再生部２０は、記録媒体内のＰＡＣ領域の少なくとも１つのＰＡＣクラスタのそれぞれに記録された制御情報を読み出す。しかしながら、記録再生部２０は読み出されたＰＡＣクラスタ別識別情報（「ＰＡＣ＿ＩＤ」）によって対応するＰＡＣクラスタを識別可能であるか否かを確認しなければならない。ＰＡＣクラスタが識別可能な場合には、ＰＡＣクラスタ内の第１の制御情報（例えば、「Ｋｎｏｗｎ  ＰＡＣ  Ｒｕｌｅｓ」フィールド及び「Ｋｎｏｗｎ  ＰＡＣ  Ｅｎｔｉｒｅ＿Ｄｉｓｃ＿Ｆｌａｇｓ」フィールド）により記録媒体の記録及び再生を制御する。一方、ＰＡＣクラスタが識別不可能な場合には、ＰＡＣクラスタ内の第２の制御情報（例えば、「Ｕｎｋｎｏｗｎ  ＰＡＣ  Ｒｕｌｅｓ」フィールド及び「Ｕｎｋｎｏｗｎ  ＰＡＣ  Ｅｎｔｉｒｅ＿Ｄｉｓｃ＿Ｆｌａｇｓ」フィールド）により記録媒体の記録及び再生を制御する。
【００４５】
また、制御部１２は、記録再生部２０から読み出された第１の制御情報及び第２の制御情報に従って、記録媒体へのデータ記録／再生（または書き込み／読み出し）命令または再初期化命令を選択的に記録再生部２０に送信する。本発明の記録再生部２０に関して、これを「アクセスユニット（accessing unit）」と名付ける。
【００４６】
図７は、本発明の一実施形態に係る記録媒体への記録及び／または再生を制御する方法の例のフローチャートである。光ディスクがロードされると、記録再生部２０内のマイクロコンピュータ１６は上述のリードイン領域内のＰＡＣクラスタが「Ｋｎｏｗｎ  ＰＡＣ」クラスタであるか「Ｕｎｋｎｏｗｎ  ＰＡＣ」クラスタであるかを「ＰＡＣ＿ＩＤ」に従って確認する（verify）（ステップＳ１０）。その結果、ＰＡＣクラスタが「Ｋｎｏｗｎ  ＰＡＣ」クラスタとして識別されると、対応するＰＡＣクラスタ内の第１の制御情報によって、特に「Ｋｎｏｗｎ  ＰＡＣ  Ｒｕｌｅｓ」フィールドによってデータの記録／再生（書き込み／読み出し）を制御する（ステップＳ２０）。また、記録再生部２０が制御部１２から再初期化命令を受信すれば（ステップＳ４０）、記録再生部２０は第１の制御情報、特に「Ｋｎｏｗｎ  ＰＡＣ  Ｅｎｔｉｒｅ＿Ｄｉｓｃ＿Ｆｌａｇｓ」フィールドに基づいて再初期化を許容するか否かを確認した後、許容される場合にだけ再初期化を実行する（ステップＳ５０）。
【００４７】
一方、ＰＡＣクラスタが「Ｕｎｋｎｏｗｎ  ＰＡＣ」クラスタとして識別されると、対応するＰＡＣクラスタ内の第２の制御情報によって、特に「Ｕｎｋｎｏｗｎ  ＰＡＣ  Ｒｕｌｅｓ」フィールドによってデータの記録／再生（または書き込み／読み出し）を制御する（ステップＳ３０）。また、記録再生部２０は制御部１２から再初期化命令を受信すれば（ステップＳ６０）、記録再生部２０は第２の制御情報、特に「Ｕｎｋｎｏｗｎ  ＰＡＣ  Ｅｎｔｉｒｅ＿Ｄｉｓｃ＿Ｆｌａｇｓ」フィールドに基づいて再初期化を許容するか否かを確認した後、許容される場合にだけ再初期化を実行する（ステップＳ７０）。
【００４８】
図８は、本発明に係る記録媒体への記録及び再生を制御する方法の他の例のフローチャートである。図７と比較する時、図８の場合は、ＰＡＣクラスタ内の「Ｋｎｏｗｎ  ＰＡＣ  Ｒｕｌｅｓ」フィールドを使用しない場合の例を示している。より詳細には、「Ｋｎｏｗｎ  ＰＡＣ  Ｒｕｌｅｓ」フィールドが適用される場合、既に「ＰＡＣ＿ＩＤ」を識別可能であることを意味する。この場合、光記録再生装置を開発する時、マイクロコンピュータ１６内には既に知られた「ＰＡＣ＿ＩＤ」に対応する制御方式（規則）が一般的にプログラムできる。したがって、ディスク（または記録媒体）の記録及び再生は「Ｋｎｏｗｎ  ＰＡＣ  Ｒｕｌｅｓ」フィールドを必ずしも使用しなければならないわけではなく制御可能である。
【００４９】
したがって、図８を参照すると、ステップＳ２０は、「Ｋｎｏｗｎ  ＰＡＣ  Ｒｕｌｅｓ」フィールドを使用しないで代わりにそのステップは既にプログラムされた制御方式（規則）に従う。以下、残りのステップに関する説明は上述の図７の場合と同一なので便宜上省略する。
【００５０】
さまざまな修正や変形が本発明において発明の要旨や範囲から離れることなく可能であることは当業者にとって明らかであろう。したがって、さまざまな修正や変形が特許請求の範囲およびその均等の範囲にある場合には、本発明は、本発明のさまざまな修正や変形を対象にするということを意図する。
【図面の簡単な説明】
【００５１】
【図１】本発明に係る記録媒体の物理的構造を示した図である。
【図２】本発明に係る記録媒体の物理的アクセス制御（ＰＡＣ）領域内のＰＡＣクラスタを示した図である。
【図３】本発明に係る記録媒体のＰＡＣクラスタ情報を示した図である。
【図４】本発明に係る記録媒体のＰＡＣクラスタ情報を示した図である。
【図５】本発明に係る記録媒体内のＰＡＣクラスタ情報の中の「Ｕｎｋｎｏｗｎ  ＰＡＣ  Ｒｕｌｅｓ」と「Ｋｎｏｗｎ  ＰＡＣ  Ｒｕｌｅｓ」を示した図である。
【図６】本発明による光記録再生装置を示した図である。
【図７】本発明に係る記録媒体へのデータの記録及び/または再生のための方法の一例を示したフローチャートである。
【図８】本発明に係る記録媒体へのデータの記録及び/または再生のための方法の一例を示したフローチャートである。
【図１】
2008507801.tif 000003
【図２】
2008507801.tif 000004
【図３】
2008507801.tif 000005
【図４】
2008507801.tif 000006
【図５】
2008507801.tif 000007
【図６】
2008507801.tif 000008
【図７】
2008507801.tif 000009
【図８】
2008507801.tif 000010
【国際調査報告】
2008507801.tif 000011
2008507801.tif 000012
2008507801.tif 000013
2008507801.tif 000014